(57)【要約】【課題】  新規な身分証明を兼ねたヘルパーカードの提供。【解決手段】（ａ）身分証明として少なくとも必要な情報、（ｂ）本人が意識を失ったとき救急隊員などに伝えるための、救急活動の初期治療に必要      な本人の健康状態に関する情報、本人の要望事項、緊急連絡先、を内蔵していることを特徴とする身分証明を兼ねたヘルパーカード。【選択図】図１
2009051040.tif 000002
【特許請求の範囲】
【請求項１】
（ａ）身分証明として少なくとも必要な情報、
（ｂ）本人が意識を失ったとき救急隊員などに伝えるための、救急活動の初期治療に必要
な本人の健康状態に関する情報、本人の要望事項、緊急連絡先、
を記載および／または内蔵していることを特徴とする身分証明を兼ねたヘルパーカード。
【請求項２】
（ｃ）カードおよび／またはそこに記載された文字や図形が暗い場所でも人間が認識でき
る機能を有するものである請求項１記載の身分証明を兼ねたヘルパーカード。
【請求項３】
（ｄ）前記情報を音声で告知できる機能を備えたものである請求項１または２記載の身分証明を兼ねたヘルパーカード。
【請求項４】
（ｅ）本人の写真が記載されたものである請求項１〜３いずれか記載の身分証明を兼ねたヘルパーカード。
【請求項５】
（ｆ）カードを携帯していることを告知するためのサイン機能を備えたものである請求項１〜４いずれか記載の身分証明を兼ねたヘルパーカード。
【請求項６】
（ｇ）本人の居場所が分かる位置確認機能を備えたものである請求項１〜５いずれか記載の身分証明を兼ねたヘルパーカード。
【発明の詳細な説明】
【技術分野】
【０００１】
本発明は、身分証明を兼ねたヘルパーカードに関する。
【背景技術】
【０００２】
外出時などに体の具合が急に悪くなって意識を失ってしまった時には、救急隊員が来ても、あるいは医者が来ても、本人は、たとえばアレルギーなどのため特定の薬の投与が望ましくないことを知らせることができず、そのため思わぬ不測の事態を招くことがあるのが現状である。
一方、音声装置が搭載、貼付されたダイレクトメールは、特許文献１〜３にみられるように公知である。
【０００３】
【特許文献１】特開２００５−０９９７０４号公報
【特許文献２】特開２００６−１７５６６３号公報
【特許文献３】特開２００７−０９４１２０号公報
【発明の開示】
【発明が解決しようとする課題】
【０００４】
本発明の目的は、新規な身分証明を兼ねたヘルパーカードを提供する点にある。
【課題を解決するための手段】
【０００５】
本発明の第１は、
（ａ）身分証明として少なくとも必要な情報、
（ｂ）本人が意識を失ったとき救急隊員などに伝えるための、救急活動の初期治療に必要
な本人の健康状態に関する情報、本人の要望事項、緊急連絡先、
を記載（記載可能な状態を含む）および／または内蔵（内蔵可能な状態を含む）していることを特徴とする身分証明を兼ねたヘルパーカード
に関する。
本発明の第２は、
（ｃ）カードおよび／またはそこに記載された文字や図形が暗い場所でも人間が認識でき
る機能を有するものである請求項１記載の身分証明を兼ねたヘルパーカード
に関する。
本発明の第３は、
（ｄ）前記情報を音声で告知できる機能を備えたものである請求項１または２記載の身分証明を兼ねたヘルパーカード
に関する。
本発明の第４は、
（ｅ）本人の写真が記載されたものである請求項１〜３いずれか記載の身分証明を兼ねたヘルパーカード
に関する。
本発明の第５は、
（ｆ）カードを携帯していることを告知するためのサイン機能を備えたものである請求項１〜４いずれか記載の身分証明を兼ねたヘルパーカード
に関する。
本発明の第６は、
（ｇ）本人の居場所が分かる位置確認機能を備えたものである請求項１〜５いずれか記載の身分証明を兼ねたヘルパーカード
に関する。
【０００６】
（ａ）の身分証明として少なくとも必要な情報としては、本人の住所、氏名、性別、生年月日、好ましくは以上の情報に加えて電話番号、本籍地などを挙げることができる。
【０００７】
（ｂ）の本人が意識を失ったとき救急隊員などに伝えるための、救急活動の初期治療に必要な本人の健康状態に関する情報としては、血液型、アレルギーの有無、アレルギーの種類とその内容、現在通院中の病院名、病歴、通院または利用経験のある病院名、その住所と電話番号、担当医の氏名とその所属科、服用中の薬名、健康保険証の番号などを挙げることができる。
本人の要望事項としては、たとえば、「私は糖尿病患者です。糖の入った飲み物を飲ませてください。」とか、「ピルケース部に入っている薬を飲ませてください。」とか、複数ある緊急連絡先の順位など、本人の要望に従った内容を挙げることができる。
【０００８】
（ｃ）のカードおよび／またはそこに記載された文字や図形が暗い場所でも人間が認識できる機能を与えるためには、文字や縁取り部を蓄光性や蛍光性を有する顔料や染料を含むインキや塗料を用いて表示することができる。
蓄光性を有する顔料の代表的なものとしては、アルミン酸塩化合物を主成分とし、これに希土類元素よりなる賦活剤を添加したものがあり、たとえば根本特殊化学株式会社の商品名「Ｎ夜光（ルミノーバ）」を挙げることができる。
【０００９】
（ａ）〜（ｃ）の情報は、文字としてカードに記載することができるが、（ｄ）のように音声の形でカード内に収納された集積回路（ＩＣ）に入力し、緊急時に第三者がこれを再生することができる情報としての文字と音声を併用してもよいことは当然である。なお、スイッチの具体例としては、株式会社ケイ・アンド・ディーの商品名「メンブレンスイッチ」を挙げることができる。
【００１０】
（ｄ）の前記情報を音声で告知できる機能としては、まず本人の要望を録音できる録音手段とそれを再生できる再生手段を備えたものを挙げることができる。これらの手段は、音声録音スイッチや音声再生スイッチを用いてそれらの手段を任意に活用することができる。
【００１１】
（ｅ）の本人の写真特に顔写真の記載は、最も簡単で明瞭な本人確認手段である。なお、併せてこの写真の撮影年次を記載することが好ましい。
【００１２】
（ｆ）のカードを携帯していることを告知するためのサイン機能としては、シールまたはストラップ、とくに発光するシールまたはストラップを使用することができる。
【００１３】
（ｇ）の本人の居場所が分かる位置確認機能（ＧＰＳ機能）としては、携帯電話に組み込まれている緊急通報機能を使用することができる。
【００１４】
これらのカードは、それぞれの疾病別に、緊急時の要望事項をあらかじめ記載（あるいは記載可能な状態）および／または入力（あるいは入力可能な状態）した形でカードを市販することもできる。疾病別の要望事項の例としては下記のものを挙げることができるが、基本的な文章とそこにカード購入者が任意に書き込みおよび／または入力することができるような形態をとることができる。
例１
至急救急車を呼んで下さい。私は、糖尿病患者です。意識不明、行動がおかしい時は、至急、私が携帯している砂糖（ブドウ糖）又は砂糖の入ったジュースを飲ませてください。
例２
至急救急車を呼んで下さい。私は、高血圧患者です。意識不明、気分が悪そうな時は、救急隊員に高血圧であることを伝え、このカードを渡してください。
例３
至急救急車を呼んで下さい。私は、心臓病患者です。意識不明、胸の苦しみを訴えている時は、救急隊員に心臓疾患があることを伝え、このカードを渡してください。
例４
至急救急車を呼んで下さい。私は、脳梗塞患者です。意識不明、言葉が話せない時は、救急隊員に脳梗塞患者であることを伝え、このカードを渡してください。決して、頭を動かさないでください。
例５
至急救急車を呼んで下さい。私は、左肩部に動脈瘤があります。意識不明、気分が悪そうな時は、救急隊員に動脈瘤があることを伝え、このカードを渡してください。
例６
病気のため助けが必要です。私は、パーキンソン病患者です。体の自由がきかなくなる症状があります。動けない、または怪我をしている場合は、救急隊員にパーキンソン病であることを伝え、このカードを渡してください。
例７
至急救急車を呼んで下さい。私は、食品アレルギーがあります。湿疹、呼吸困難、意識がおかしい時は、アレルギーショックの可能性があります。救急隊員にアレルギーがあることを伝え、このカードを渡してください。私がアレルギーをおこす食品：卵、牛乳、乳製品、小麦粉、そば粉
例８
至急救急車を呼んで下さい。私は、薬品アレルギーがあります。湿疹、呼吸困難、意識がおかしい時は、アレルギーショックの可能性があります。救急隊員にアレルギーがあることを伝え、このカードを渡してください。私がアレルギーをおこす薬：ペニシリン
例９
至急救急車を呼んで下さい。体の具合が大変悪いので、至急救急車を呼んで下さい。救急隊員にこのカードを渡してください。
例１０
至急救急車を呼んで下さい。私は、妊娠しています。体の具合が大変悪いので至急救急車を呼んで下さい。救急隊員にこのカードを渡してください。
例１１
私は、目に障害があります。このカードを示した時、あるいは地震、火事などの緊急の場合、私は助けを必要としています。私の手をとり、声を出して私を導いてください。
例１２
私は、耳に障害があります。このカードを示した時、あるいは地震、火事などの緊急の場合、私は助けを必要としています。私の手をとり、手で合図をしながら私を導いてください。
【００１５】
また、これらのカードには、ドナーカードとしての機能を併せ持たせることができる。ドナーカードの内容を記載することにより、ドナーカードとしての機能や医師に感染の可能性のあるＣ型肝炎、ＨＩＶ、梅毒などの情報を付加することができる。
【００１６】
このカードの大きさはとくに制限するものではないが、銀行や電鉄会社のカードと同一の大きさであると、収納の際便利であり、好ましい。カードの厚みは、録音、再生などの手段や電池などの厚みに大きく左右される。通常、０．７〜２ｍｍ程度の厚みがあればよい。
【発明の効果】
【００１７】
本発明にかかる身分証明を兼ねたヘルパーカードを携帯していることにより、身分証明として使用できるうえ、病気や障害による身体的不安、不便さを感じている人や高齢者は勿論すべての人が感じている地震などの災害や事故に対する不安の軽減に役立つ。
【実施例】
【００１８】
以下に実施例を挙げて本発明を説明するが、本発明はこれにより何ら限定されるものではない。
【００１９】
実施例１
実施例１の身分証明を兼ねたヘルパーカードの表面記載事項を図１に示し、その裏面記載事項を図２に示し、その構造例を図３に示す。このカードの縦と横の寸方は銀行やデパートが発行しているカードと同一であるが、厚さはそれらより厚く、２ｍｍである。
本実施例のカードは、典型的な糖尿病患者のものである。この形でユーザーに提供すれば、ユーザーは図１と図２の空白部分に必要事項を書き込み、必要に応じて音声入力機構を用いて、必要事項にかかる音声を入力することができる。
図３に示す電子回路基板１には、音声再生スイッチ２、音声録音スイッチ３、発光ダイオード４およびＩＣチップ６を備えている。このカードに緊急時の要望を録音する際には、音声録音スイッチ３を押しながら、マイクロホン８に向かって吹込みを行う。
再生する場合には、音声再生スイッチ２を押すことにより録音されていた音声を再生することができる。ＩＣチップ６は、薄型スピーカー５を駆動する増幅回路および音声を収録するマイクロホン８の電気信号を記録する電子記録回路などを備えている。なお、薄型スピーカー５は、圧電素子型を用いることにより、マイクロホン８の機能をも兼ね備えることができる（具体的には圧電積層スピーカ、商品モデルＮｏ，ＨＡＰ−ＢＭＥ−２０−１３Ｎ０１を挙げることができる）。また、発光装置は、赤色の発光ダイオード（ＬＥＤ）４を備えスイッチ（たとえば前記商品名メンブレンスイッチ）２を２秒以上押しつづけることにより点灯する機能を有する。なお、ＬＥＤの特性として電圧が低下すると点灯しないことから、これにより電池の残容量の有無を知ることができる。電子回路の駆動電源としては、シート状またはコイン型の薄型電池７をカード本体９に内蔵させた。
【図面の簡単な説明】
【００２０】
【図１】身分証明を兼ねたヘルパーカードの表面例を示す。
【図２】身分証明を兼ねたヘルパーカードの裏面例を示す。
【図３】身分証明を兼ねたヘルパーカードの構造例を示す。
【符号の説明】
【００２１】
１  電子回路基板
２  音声再生スイッチ
３  音声録音スイッチ
４  発光ダイオード
５  スピーカー
６  ＩＣチップ
７  薄型電池
８  マイクロホン
９  カード本体
【図３】
2009051040.tif 000003
【図１】
2009051040.tif 000004
【図２】
2009051040.tif 000005